(57)【特許請求の範囲】
【請求項１】
上横片と下横片と左縦片および右縦片で囲まれた前後方向に開口する額縁状に構成された固定枠と、
金属により形成され、前記固定枠の前側に設けられた幕板と、
樹脂により形成され、前記幕板の前側に設けられた幕化粧体とを備える遊技機枠であって、
前記幕板は、前記固定枠における下横片の前部と左縦片の下前部および右縦片の下前部に結合される幕基盤と、
当該幕基盤の上縁部に沿って延長し、直角方向裏側に折曲された幕上片と、当該幕上片の表面から上方に向かって突出し、前記固定枠の前側において開閉可能に設けられた可動枠が閉じられる場合において当該可動枠の裏側に設けられた滑走機構を滑走させる滑走台座とを備え、
前記幕化粧体は、前記幕基盤と重ね合わされる化粧基盤と、
前記幕上片と重ね合わされ、前記滑走台座と対応する位置が切り欠かれて形成された滑走台座逃避部を有する化粧上片とを備え、
前記滑走台座が、前記幕化粧体が前記幕板の前側に設けられた状態において前記滑走台座逃避部を介して前記化粧上片よりも上方に突出する遊技機枠。
【請求項２】
前記幕基盤に形成された放音孔と、
前記幕基盤の裏面に配置されたスピーカとを備え、
前記スピーカのフランジが放音孔の周りの幕基盤にスピーカの裏側から止ねじで取り付けられた請求項１記載の遊技機枠。
【請求項３】
前記幕化粧体がスピーカのフランジおよび幕基盤を貫通して幕化粧体に締結される前記止ねじで取り付けられた請求項２記載の遊技機枠。
【発明の詳細な説明】
【技術分野】
【０００１】
本発明は、内部空間の拡大と強度向上との両立が可能な遊技機枠に関する。
【背景技術】
【０００２】
遊技機枠には、遊技店の島と呼ばれる遊技機設置構造体に取り付けるための固定枠の前側に、遊技盤または図柄表示装置などの遊技主体部品を取り付けるための可動枠を、左側に位置するヒンジを中心として、固定枠の前側で前側に開き後側に閉じるように開閉可能に備えた、構造のものが知られている。固定枠は、上横片と下横片と左縦片および右縦片で囲まれた前後方向に開口する内部空間を有する前後方向から見て方形な額縁状に構成され、下横片の前部と左縦片の下前部および右縦片の下前部に結合された幕板を備えた構造である。そして、固定枠を構成する材料から分類すると、木材構造、金属構造、合成樹脂構造、複合構造などに大別される。木材構造は、上横片、下横片、左縦片、右縦片、幕板の全部が木材で形成された構造である。金属構造は、上横片、下横片、左縦片、右縦片、幕板の全部が金属で形成された構造である。合成樹脂構造は、下横片、左縦片、右縦片、幕板の全部が合成樹脂で形成された構造である。複合構造は、上横片および下横片が木材で形成され、左縦片と右縦片および幕板が金属または合成樹脂で形成されるというように、複数の異なる材料から形成された構造である。しかしながら、木材構造の場合、固定枠を遊技機設置構造体に釘で打ち付けて容易に取り付けられるものの、上横片、下横片、左縦片、右縦片、幕板の板厚が厚く、内部空間が小さい。金属構造の場合、上横片、下横片、左縦片、右縦片、幕板の板厚を薄くし、内部空間を大きくできるものの、固定枠を遊技機設置構造体に釘で固定しづらい。合成樹脂構造の場合、固定枠を樹脂成形機で一体成形できるものの、固定枠を遊技機設置構造体に釘で固定しづらい。複合構造の場合、異種材料からなる部材どうしの結合が弱くなりがちである。このように、木材構造、金属構造、合成樹脂構造、複合構造のいずれも、一長一短がある。
【特許文献１】特開平１１−１２８４８７号公報
【発明の開示】
【発明が解決しようとする課題】
【０００３】
発明が解決しようとする問題点は、幕板の裏側における内部空間の拡大と強度向上との両立ができないという点である。
【課題を解決するための手段】
【０００４】
本発明に係る遊技機枠は、上横片と下横片と左縦片および右縦片で囲まれた前後方向に開口する額縁状に構成された固定枠と、金属により形成され、固定枠の前側に設けられた幕板と、樹脂により形成され、幕板の前側に設けられた幕化粧体とを備える遊技機枠であって、幕板は、固定枠における下横片の前部と左縦片の下前部および右縦片の下前部に結合される幕基盤と、当該幕基盤の上縁部に沿って延長し、直角方向裏側に折曲された幕上片と、当該幕上片の表面から上方に向かって突出し、固定枠の前側において開閉可能に設けられた可動枠が閉じられる場合において当該可動枠の裏側に設けられた滑走機構を滑走させる滑走台座とを備え、幕化粧体は、幕基盤と重ね合わされる化粧基盤と、幕上片と重ね合わされ、滑走台座と対応する位置が切り欠かれて形成された滑走台座逃避部を有する化粧上片とを備え、滑走台座が、幕化粧体が幕板の前側に設けられた状態において滑走台座逃避部を介して化粧上片よりも上方に突出することを主要な特徴とする。幕基盤に放音孔を形成し、幕基盤の裏面にスピーカを配置し、スピーカのフランジを放音孔の周りの幕基盤にスピーカの裏側から止ねじで取り付けてもよい。また、幕化粧体をスピーカのフランジおよび幕基盤を貫通して幕化粧体に締結される止ねじで取り付けてもよい。
【発明の効果】
【０００５】
本発明に係る遊技機枠は、幕板の前後方向の厚さは、木材または合成樹脂からなる図外の幕板よりも薄く形成しても、下横片と左縦片と右縦片とが幕板で相互に結合された強度が、木材または合成樹脂からなる幕板よりも向上し、しかも、幕板の前後方向の厚さが薄くなったことによって、幕板の裏側における内部空間が拡大され、固定枠における内部空間の拡大と強度向上との両立が図れるという利点がある。幕板が、下横片の前部と左縦片の下前部および右縦片の下前部に結合される幕基盤と、幕基盤に形成された放音孔と、放音孔の裏面に配置されたスピーカとを備え、スピーカのフランジが放音孔の周りの幕基盤にスピーカの裏側から止ねじで取り付けられれば、スピーカを単独で部品交換することができるという利点がある。幕板の前側に幕化粧体が配置され、幕化粧体が幕板にスピーカの裏側からスピーカのフランジおよび幕基盤を貫通して幕化粧体に締結される止ねじで取り付けられれば、幕板へのスピーカと幕化粧体との取付構造が簡単な構造となるという利点がある。幕板に滑走台座を設ければ、滑走台座を別に設ける必要がないので、別々に止ねじなどで組み立てることが必要な部品の個数が削減されるという利点がある。
【発明を実施するための最良の形態】
【０００６】
図１乃至図８は、発明を実施するための最良の形態である。図１は、固定枠１を分解して前側から示す。図２のａ図は、幕板６を前側から示す。図２のｂ図は、幕板６を裏側から示す。図３のａ図は、幕化粧体９を前側から示す。図３のｂ図は、幕化粧体９を裏側から示す。図４は、幕板６に有孔覆体７およびスピーカ８を取り付ける場合を前側から示す。図５は、幕板６を下横片３と左縦片４と右縦片５との前側に取り付ける場合を前側から示す。図６は、幕板６と幕化粧体９とを互いに結合する場合を裏側から示す。図７は、固定枠１の滑走台座３９や上方規制体４０の周りの縦方向に切断した断面を示す。図８は、遊技機枠８７を前側から示す。本明細書において、「前」、「後」、「裏」、「左」、「右」、「上」、「下」の方向は、図８の状態に遊技機枠８７を置いて矢印Ａで示す前側から見た場合に特定される方向である。「後」と「裏」とは同じ方向である。
【０００７】
図１を参照し、固定枠１の構造について説明する。固定枠１は、上横片２と下横片３と左縦片４および右縦片５が木材で構成され、幕板６が金属で構成された、木材と金属とからなる複合構造であって、遊技店の島と呼ばれる遊技機設置構造体に取り付けるための外枠とも呼ばれる。幕板６の裏側には、有孔覆体７、低音用のスピーカ８が、左右に分かれて取り付けられる。幕板６の前側には、幕化粧体９が、幕板６の前側、左縦片４の下端部、右縦片５の下端部、結合具１５；１７の前側を覆い隠すように、取り付けられる。幕板６の構造については、図２で後述する。幕化粧体９の構造については、図３で後述する。有孔覆体７およびスピーカ８の幕板６への取り付け方は、図４で後述する。幕板６の下横片３と左縦片４と右縦片５とへの取り付け方は、図５で後述する。幕化粧体９の幕板６への取り付け方は、図６で後述する。
【０００８】
上横片２の左端部と左縦片４の上端部とが互いに直角となるように合わされ、金属製の結合具１０が上横片２の左端部と左縦片４の上端部との直角に合わされた内側に配置され、金属製のヒンジ１１が上横片２の左端部と左縦片４の上端部との直角に合わされた外側に配置され、金属製のボルト１２がヒンジ１１の外側からヒンジ１１および上横片２または左縦片４を貫通し、当該ボルト１２が結合具１０に締結されることによって、上横片２の左端部と左縦片４の上端部とが互いに結合される。
【０００９】
上横片２の右端部と右縦片５の上端部とが互いに直角となるように合わされ、金属製の結合具１３が上横片２の右端部と右縦片５の上端部との直角に合わされた内側に配置され、金属製のボルト１４が上横片２または右縦片５の外側から上横片２または右縦片５を貫通し、当該ボルト１４が結合具１３に締結されることによって、上横片２の右端部と右縦片５の上端部とが互いに結合される。
【００１０】
下横片３の左端部と左縦片４の下端部とが互いに直角となるように合わされ、金属製の結合具１５が下横片３の左端部と左縦片４の下端部との直角に合わされた内側に配置され、金属製のボルト１６が下横片３または左縦片４の外側から下横片３または左縦片４を貫通し、当該ボルト１６が結合具１５に締結されることによって、下横片３の左端部と左縦片４の下端部とが互いに結合される。
【００１１】
下横片３の右端部と右縦片５の下端部とが互いに直角となるように合わされ、金属製の結合具１７が下横片３の右端部と右縦片５の下端部との直角に合わされた内側に配置され、金属製のボルト１８が下横片３または右縦片５の外側から下横片３または右縦片５を貫通し、当該ボルト１８が結合具１７に締結されることによって、下横片３の右端部と右縦片５の下端部とが互いに結合される。このように、上横片２と下横片３と左縦片４と右縦片５とが結合されることによって、固定枠１が前後方向から見て方形な額縁状となる。つまり、固定枠１は、上横片２と下横片３と左縦片４と右縦片５で囲まれた前後方向に開口する内部空間１９を備える。
【００１２】
結合具１５の前部には、左幕板取付部２１が、当該前部から右側に直角に折り曲げられて形成される。左幕板取付部２１には、ねじ孔２２が、上下に分かれて設けられる。結合具１７の前部には、右幕板取付部２３が、当該前部から右側に直角に折り曲げられて形成される。右幕板取付部２３には、ねじ孔２４が、上下に分かれて設けられる。
【００１３】
左縦片４の内側には金属製のヒンジ２５が結合具１５よりも上方に隣接して配置され、金属製のボルト２６が左縦片４の外側から左縦片４を貫通し、当該ボルト２６がヒンジ２５に締結されることによって、ヒンジ２５が左縦片４の内側に取り付けられる。ヒンジ２５の下部には、ヒンジ基盤２７が、当該下部から右側に直角に折り曲げられて形成される。ヒンジ基盤２７の前部には、ヒンジピン２８が、左縦片４や左幕板取付部２１よりも前側に位置し、上方に直角に突出して設けられる。
【００１４】
ヒンジ基盤２７の中間部には、上方規制体２９が、ヒンジピン２８よりも後側に位置して設けられる。上方規制体２９は、ヒンジ基盤２７から上方に直角に折り曲げられた縦片部と、縦片部の上部を前側に直角に折り曲げられた横片部とを備える。ヒンジ基盤２７は、上方規制体２９の形成された残渣孔３０を有する。ヒンジ基盤２７の右部には、上幕板取付部３１が、当該右部から上方に直角に折り曲げられて形成される。上幕板取付部３１には、ねじ孔３２が、左右に分かれて設けられる。上横片２および下横片３には、釘案内孔３３が、上下方向への貫通孔として個別に設けられる。釘案内孔３３は、固定枠１を遊技機設置構造体に取り付ける場合、釘を内部空間１９の側から上横片２または下横片３を貫通して遊技機設置構造体に打ち込むために、当該釘を挿入するための孔である。
【００１５】
図２を参照し、幕板６の構造について説明する。幕板６は、鉄板のような金属板により、幕基盤３５、幕上片３６、幕下片３７、幕縦片３８、滑走台座３９、上方規制体４０を、一体に備えた形状に構成される。幕基盤３５は、左右に長い帯状である。幕基盤３５の左右方向の横幅は、図１の左幕板取付部２１と右幕板取付部２３とに掛け渡され、左幕縦片３８よりも左側に突出せず、右幕縦片３８よりも右側に突出しない寸法に設定される。幕基盤３５の上下方向の高さは、図１の下横片３とヒンジ基盤２７との間の隙間に取り込まれる寸法に設定される。幕基盤３５には、放音孔４１が、左右に分かれ、前後方向への貫通孔として形成される。放音孔４１の周囲には、ねじ挿入孔４２およびスピーカ取付部４３が設けられる。
【００１６】
ねじ挿入孔４２、スピーカ取付部４３は、放音孔４１に対し一対ずつ設けられる。ねじ挿入孔４２は、放音孔４１を囲む仮想した方形の中心を通る１本の対角線上で相対峙する。スピーカ取付部４３は、放音孔４１を囲む仮想した方形の中心を通る別の１本の対角線上で相対峙する。スピーカ取付部４３は、次のような構造である。幕基盤３５におけるスピーカ取付部４３を形成しようとする部分が裏側に突出した筒体としてバーリング加工で形成され、この筒体の内面に雌ねじが形成されたことによって、スピーカ取付部４３が幕基盤３５に設けられた構造である。幕基盤３５には、位置決め部としての位置決め孔４４が、左右の放音孔４１の間で左右に分かれ、前後方向への貫通孔として設けられる。幕基盤３５の左端部には、ねじ挿入孔４５が、上下に分かれ、丸い、前後方向への貫通孔として設けられる。幕基盤３５の右端部には、ねじ挿入孔４６が、上下に分かれ、横長な、前後方向への貫通孔として設けられる。
【００１７】
幕上片３６は、幕基盤３５の上縁部から裏側に直角に折り曲げられた左右に長い帯状である。幕下片３７は、幕基盤３５の下縁部から裏側に直角に折り曲げられた左右に長い帯状である。幕縦片３８は、幕上片３６の後縁部から上方に直角に折り曲げられた左右に長い帯状である。幕上片３６の左端部および幕縦片３８の左端部には、ヒンジ逃避部４７が、当該左端部を除去した形状として形成される。幕縦片３８の左端部には、ねじ挿入孔４８が、前後方向への貫通孔として設けられる。幕上片３６の右端部と幕下片３７の右端部および幕縦片３８の右端部は、幕基盤３５の右端部と同一の垂直面内に位置する。幕下片３７の左端部は、幕基盤３５の左端部と同一の垂直面内に位置する。幕下片３７の左端部および右端部には、結合具逃避部４９が、左端部の後部および右端部の後部を除去した形状として形成される。幕下片３７には、ねじ挿入孔５０が、上下方向への貫通孔として設けられる。滑走台座３９は、右側の位置決め孔４４の真上に位置するように、幕上片３６に、幕上片３６の下面から上方に盛り上がるように突出され、前側から見て、平坦な上面を有する台形に構成される。上方規制体４０は、滑走台座３９の上面の真上に位置するように、幕縦片３８から前側に直角に折り曲げられ、幕縦片３８に設けられる。
【００１８】
図３を参照し、幕化粧体９の構造について説明する。幕化粧体９は、光を遮断しかつ有色な合成樹脂により、化粧基盤５１、化粧上片５２、化粧左片５３、化粧右片５４を、一体に備えた形状に構成される。化粧基盤５１は、左右に長い帯状である。化粧基盤５１の左右方向の横幅は、図１の左縦片４と右縦片５とに掛け渡され、左縦片４よりも左側に突出せず、右縦片５よりも右側に突出しない寸法に設定される。化粧基盤５１の上下方向の高さは、図１の下横片３とヒンジ基盤２７とに掛け渡され、下横片３よりも下方に突出せず、ヒンジ基盤２７よりも上方に突出しない寸法に設定される。
【００１９】
化粧基盤５１には、放音部５５が、左右に分かれて設けられる。放音部５５には、複数の放音孔５６が、前後方向への貫通孔として上下に分かれ、横長な孔として形成される。化粧基盤５１の前面には、情報表示設置部５７が、左右の放音部５５の間に位置し、当該前面から内部への平坦な窪みとして形成される。化粧基盤５１の裏面には、放音縁取り部５８、スピーカ取付部５９、ねじ逃避部６０、リブ６１、位置決め部としての位置決め突起６２が、設けられる。スピーカ取付部５９、ねじ逃避部６０は、放音部５５に対し一対ずつ設けられる。放音縁取り部５８は、放音部５５を縁取るように、化粧基盤５１の裏面から裏側に突出した環状の突条として形成される。化粧基盤５１の裏面と図２の幕基盤３５の前面とが互いに向かい合わされて重ね合わされた場合、スピーカ取付部５９が図２のねじ挿入孔４２と対向し、ねじ逃避部６０が図２のスピーカ取付部４３と対向し、位置決め突起６２が図２の位置決め孔４４と対向する。スピーカ取付部５９は、化粧基盤５１の裏面から裏側に突出した突起の裏面から内部への窪みを有する形態である。ねじ逃避部６０は、化粧基盤５１の裏面から内部への窪みとして形成される。リブ６１は、化粧基盤５１の裏面から格子状に突出した交差突条である。位置決め突起６２は、リブ６１の縦部と横部とが交わる交差部から裏側に突出する。
【００２０】
化粧上片５２は、化粧基盤５１の上縁部から裏側に直角に突出した左右に長い帯状である。化粧上片５２の左端部には、ヒンジ逃避部６３が、当該左端部の上面から化粧上片５２の内部への窪みとして形成される。ヒンジ逃避部６３には、ヒンジピン逃避部６４が、ヒンジ逃避部６３の後半部を除去した形状として形成される。化粧上片５２の左右方向の中間部には、滑走台座逃避部６５が、当該中間部を除去した形状として形成される。化粧上片５２の下面が図２の幕上片３６の上面に重ね合わされた場合、滑走台座逃避部６５は、図２の滑走台座３９と対応する。化粧左片５３は、化粧基盤５１の左縁部から裏側に直角に突出した上下に長い帯状である。化粧右片５４は、化粧基盤５１の右縁部から裏側に直角に突出した上下に長い帯状である。化粧上片５２と化粧左片５３とは互いに連接される。化粧上片５２と化粧右片５４とは互いに連接される。
【００２１】
図４を参照し、幕板６に有孔覆体７およびスピーカ８を取り付ける場合について説明する。スピーカ８は、横長なコーン７１の前縁部から外側にフランジ７２が突出し、フランジ７２にねじ挿入孔７３が形成され、コーン７１の後部に音響変換部７４を備え、音響変換部７４が入力された音電流を機械的な振動に変換してコーン７１に伝達し、コーン７１が伝達された振動を音波として拡大して放出する。フランジ７２は方形な外形を有する。ねじ挿入孔７３は、フランジ７２の中心を通る２本の対角線上で相対峙し、前後方向への貫通孔として、フランジ７２の４隅に横長に個別に設けられる。有孔覆体７は、スピーカ８のフランジ７２と同形の方形なメタルメッシュ材の中央部に、コーン対応部７６が、中央部の裏側から前側に押し出された形状に形成される。メタルメッシュ材の１つ１つの網目は、ピアノ線のような不正操作部材が貫通不能な大きさである。コーン対応部７６の外形は、幕板６の放音孔４１にがたつくことなく挿入されるように、放音孔４１と同じ大きさの同じ形状である。コーン対応部７６の周囲は、フランジ７７を構成する。フランジ７７の４隅にはねじ挿入孔７８が個別に形成される。フランジ７２とフランジ７７とが互いに重ね合わされた場合、ねじ挿入孔７３とねじ挿入孔７８とが互いに対応する。
【００２２】
有孔覆体７およびスピーカ８が幕板６に取り付けられる場合、有孔覆体７の前面が幕基盤３５の裏面の側に向けられ、コーン対応部７６が幕基盤３５の裏側から放音孔４１に挿入され、フランジ７７の前面が幕基盤３５の裏面に重ね合わされ、ねじ挿入孔７８がスピーカ取付部４３の筒体に嵌め込まれる。これによって、有孔覆体７の幕基盤３５への取り付け位置が適切に定まり、有孔覆体７が放音孔４１を塞ぐ。その後、スピーカ８の前面が幕基盤３５の裏面の側に向けられ、フランジ７２の前面がフランジ７７の裏面に重ね合わされ、ねじ挿入孔７３が有孔覆体７より裏側に突出したスピーカ取付部４３の筒体に嵌め込まれる。これによって、スピーカ８の幕基盤３５への取り付け位置が適切に定まり、コーン７１がコーン対応部７６と対向される。最後に、止ねじ７９がスピーカ８の裏側からねじ挿入孔７３を経由して幕板６のスピーカ取付部４３に締結される。これによって、有孔覆体７およびスピーカ８が幕板６の裏側に取り付けられる。
【００２３】
図５を参照し、幕板６を下横片３と左縦片４と右縦片５との前側に取り付ける場合について説明する。幕基盤３５の裏面が下横片３と左縦片４と右縦片５との側に向けられ、幕下片３７が下横片３の前側から左幕板取付部２１と下横片３と間の隙間や右幕板取付部２３と下横片３と間の隙間に挿入され、幕基盤３５の左端部が左幕板取付部２１に重ね合わされ、幕基盤３５の右端部が右幕板取付部２３に重ね合わされ、幕縦片３８の左端部が上幕板取付部３１に重ね合わされる。そして、止ねじ８１が幕基盤３５の前側からねじ挿入孔４５を経由して左幕板取付部２１のねじ孔２２に締結される。止ねじ８２が幕基盤３５の前側からねじ挿入孔４６を経由して右幕板取付部２３のねじ孔２４に締結される。止ねじ８３が幕縦片３８の前側からねじ挿入孔４８を経由して上幕板取付部３１のねじ孔３２に締結される。これによって、幕板６を下横片３と左縦片４と右縦片５との前側に結合具１５；１７およびヒンジ２５を介して取り付けられる。
【００２４】
図示は省略するが、有孔覆体７およびスピーカ８の取り付けられていない幕板６を下横片３と左縦片４と右縦片５との前側に取り付けた後、幕板６の裏側に有孔覆体７およびスピーカ８を取り付けてもよいが、図５に示すように有孔覆体７およびスピーカ８の取り付けられた幕板６を下横片３と左縦片４と右縦片５との前側に取り付けた方が、有孔覆体７およびスピーカ８の取り付け作業が容易である。
【００２５】
図６を参照し、幕板６と幕化粧体９とを互いに結合する場合について説明する。この場合、少なくとも、幕板６が図５における下横片３と左縦片４と右縦片５との前側に取り付けられている必要はある。その理由は、幕板６と幕化粧体９とが互いに結合されると、幕板６を下横片３と左縦片４と右縦片５との前側に取り付けるためのねじ挿入孔４５；４６が幕化粧体９で覆い隠されるからである。有孔覆体７およびスピーカ８は、幕板６に取り付けられていてもいなくてもよい。幕基盤３５の前面が化粧基盤５１の裏面の側に向けられ、幕上片３６の上面と化粧上片５２の上面とが互いに向き合わせられるように、幕基盤３５と化粧基盤５１とが互いに重ね合わされる。これによって、位置決め孔４４と位置決め突起６２とが互いに嵌め合わされ、幕上片３６の上面と化粧上片５２の下面とが互いに接触して重ね合わされ、滑走台座３９が滑走台座逃避部６５に配置され、幕化粧体９のヒンジ逃避部６３が幕板６のヒンジ逃避部４７の上に配置される。そして、止ねじ８５がスピーカ８の裏側からねじ挿入孔７３および図４の有孔覆体７のねじ挿入孔７８を経由して幕化粧体９のスピーカ取付部５９に締結される。これよって、幕板６と幕化粧体９とが互いに結合される。また、有孔覆体７およびスピーカ８を幕板６に締結した止ねじ７９の幕板６から前側に突出した先端部は、幕化粧体９のねじ逃避部６０に収容される。したがって、幕板６の前側に幕化粧体９が配置され、幕化粧体９が幕板６にスピーカ８の裏側からスピーカ８のフランジ７２および幕基盤３５を貫通して幕化粧体９に締結される止ねじ８５で取り付けられているので、幕板６へのスピーカ８と幕化粧体９との取付構造が簡単な構造となるという利点がある。
【００２６】
図７を参照し、幕板６および幕化粧体９が下横片３と左縦片４と右縦片５との前側に取り付けられた構造について説明する。金属板により形成された幕板６が下横片３と左縦片４と右縦片５（図１参照）との前側に結合具１５；１７およびヒンジ２５を介して取り付けられている。よって、幕基盤３５の前後方向の厚さは、木材または合成樹脂からなる図外の幕板よりも薄く形成しても、下横片３と左縦片４と右縦片５とが幕板６で相互に結合された強度が、木材または合成樹脂からなる幕板よりも向上する。しかも、幕基盤３５の前後方向の厚さが薄くなったことによって、幕板６の裏側における内部空間１９が拡大される。つまり、固定枠１における内部空間１９の拡大と強度向上との両立が図れるという利点がある。スピーカ８と幕板６との間には有孔覆体７が挟まれているので、ピアノ線のような不正操作部材が幕化粧体９の前側から図３の放音孔５６を経由して幕板６の側に挿入されても、有孔覆体７が不正操作部材のスピーカ８の側への侵入を防止することができるという利点がある。スピーカ８が金属製の有孔覆体７および幕板６に取り付けられているので、スピーカ８からのノイズをアース線不要で処理することができるという利点がある。幕板６が幕基盤３５と放音孔４１（図４参照）とスピーカ８とを備え、スピーカ８のフランジ７２が放音孔４１の周りの幕基盤３５にスピーカ８の裏側から止ねじ７９；８５で取り付けられているので、スピーカ８を交換する場合、スピーカ８の後側から止ねじ７９；８５を取り外すことによって、スピーカ８を単独で部品交換することができる。
【００２７】
図８を参照し、遊技機枠８７としてパチンコ遊技機の遊技機枠８７を例として、遊技機枠８７の構造について説明する。遊技機枠８７は、固定枠１の前側に可動枠８８を開閉可能に備え、可動枠８８の前側に前扉８９および皿構造体９０を開閉可能に備える。可動枠８８は、遊技盤や制御装置など遊技に必要な部品を取り付ける前枠とも呼ばれる。可動枠８８は、左側に位置するヒンジ１１；２５を中心とし、固定枠１の前側で前側に開かれかつ後側に閉じられるように、片開き可能である。前扉８９および皿構造体９０は、個別に、左側に位置する図外のヒンジを中心とし、可動枠８８の前側で前側に開かれかつ後側に閉じられるように、片開き可能である。可動枠８８の右側部には、施錠装置９１とロック機構９２が設けられる。前扉８９は、パネル枠とも呼ばれ、前後方向に貫通する図外の窓を裏側から覆う窓パネル９３を備える。窓パネル９３は、ガラスまたは合成樹脂など光を透過する性質の有る材料からなる板状である。皿構造体９０は図外の受皿部、発射操作機構９４を備える。
【００２８】
そして、可動枠８８が閉じられ、ロック機構９２が固定枠１に設けられた掛止金具９５に係合することによって、可動枠８８が固定枠１に開閉不能に支持され、前扉８９および皿構造体９０が閉じられて可動枠８８に図外のロック機構で開閉不能に支持された状態において、遊技店の店員が図外のキープレート（鍵）を遊技機枠８７の前側から施錠装置９１の鍵穴に挿入し、当該キープレートを例えば右側に９０度回転操作すると、固定枠１と可動枠８８とのロック機構９２と掛止金具９５とによる支持形態が解除される。この支持形態の解除後に、店員が可動枠８８を前側に引くことによって、可動枠８８はヒンジ１１；２５を中心として前側に片開きされる。また、上記施錠装置９１の鍵穴に挿入されたキープレートが例えば左側に９０度回転操作されると、可動枠８８と前扉８９との図外のロック機構による支持形態が解除される。この支持形態の解除後に、店員が前扉８９を前側に引くことによって、前扉８９はヒンジ１１を中心として前側に片開きされる。このように、前扉８９が前側に開かれた状態において、図外の遊技盤が可動枠８８の前側から可動枠８８の内部に装着される。そして、前扉８９が閉じられて可動枠８８に図外のロック機構で開閉不能に支持されることによって、遊技盤の前面における遊技領域が遊技機枠８７の窓パネル９３を通して見える形態となる。その後、店員がキープレートを施錠装置９１の鍵穴から前側に抜き取る。
【００２９】
可動枠８８の裏面下部には、滑走機構９６および上方規制孔９７が設けられる。そして、可動枠８８が閉じられる場合、滑走機構９６の下部におけるローラ９８が滑走台座３９の上面を前側から裏側の方向に滑走し、滑走機構９６の金属製のブラケット９９の上部が上方規制体４０の下部に配置され、上方規制体２９が、ヒンジピン２８よりも後側に位置して設けられる。上方規制体２９の上部における横片部が上方規制孔９７に取り込まれる。よって、可動枠８８が閉じられた固定枠１に開閉不能に支持された場合、人が可動枠８８を上方に持ち上げても、上方規制体２９と上方規制孔９７との係合、上方規制体４０と滑走機構９６との係合とによって、可動枠８８が固定枠１に対し上方に移動することがないという利点がある。幕板６に可動枠８８の滑走機構９６に対する滑走台座３９が設けれているので、滑走台座３９を別に設ける必要がないので、別々に止ねじなどで固定枠１に組み立てることが必要な部品の個数が削減されるという利点がある。
【産業上の利用可能性】
【００３０】
釘案内孔３３は、設けなくてもよい。幕板６と結合具１５；１７の一方または両方とを一体に形成してもよいが、図４に示すように、幕板６と結合具１５；１７とを別々の部材として形成し、幕板６の右端部のねじ挿入孔４６を横長孔として形成し、止ねじ８１；８２で結合具１５；１７に、幕板６を取り付けるようにすれば、結合具１５；１７による下横片３と左縦片４と右縦片５との公差範囲内の組立誤差を適切に吸収することができるという利点がある。上横片２および下横片３を木材で構成し、左縦片４および右縦片５を合成樹脂で構成してもよく、上横片２と下横片３と左縦片４および右縦片５を合成樹脂で一体に構成してもよい。有孔覆体７は、金属板に多数の孔の開けられた、パンチングメタル材により形成してよい。
滑走機構９６のローラ９８を設けずに、滑走機構９６の金属体を滑走台座３９に滑走させたり、滑走機構９６を可動枠８８から取除き、可動枠８８の下部を滑走台座３９に滑走させたり、滑走機構９６を可動枠８８から取除き、その取除いた部分に位置するように金属体を可動枠８８の下部に設け、当該金属体を滑走台座３９に滑走させてもよい。
【図面の簡単な説明】
【００３１】
【図１】固定枠の分解斜視図（最良の形態）。
【図２】幕板の斜視図（最良の形態）。
【図３】幕化粧体の斜視図（最良の形態）。
【図４】幕板に有孔覆体およびスピーカを取り付ける場合の斜視図（最良の形態）。
【図５】幕板を下横片、左縦片、右縦片に取り付ける場合の斜視図（最良の形態）。
【図６】幕板と幕化粧体とを互いに結合する場合の斜視図（最良の形態）。
【図７】固定枠の滑走台座や上方規制体周りの縦断面図（最良の形態）。
【図８】遊技機枠の斜視図（最良の形態）。
【符号の説明】
【００３２】
１    固定枠
２    上横片
３    下横片
４    左縦片
５    右縦片
６    幕板
７    有孔覆体
８    スピーカ
９    幕化粧体
１９  内部空間
３５  幕基盤
３９  滑走台座
４１  放音孔
７２  フランジ
７９  止ねじ
８５  止ねじ
８７  遊技機枠
【図１】
0004817735.tif 000002
【図２】
0004817735.tif 000003
【図３】
0004817735.tif 000004
【図４】
0004817735.tif 000005
【図５】
0004817735.tif 000006
【図６】
0004817735.tif 000007
【図７】
0004817735.tif 000008
【図８】
0004817735.tif 000009